(57)【特許請求の範囲】
【請求項１】
キオスク端末と、薬剤師用端末と、調剤薬局窓口端末と、調剤医薬品等収納棚と、をネットワークで接続する調剤薬局サーバーと、から構成され、
少なくとも患者ＩＤコード及び投薬情報を記憶するＲＦ−ＩＤタグを備える診察券と、少なくとも患者ＩＤコードを記憶可能なＲＦ−ＩＤタグを備える医薬品袋と、を用いる調剤医薬品等引き取りシステムであって、
前記キオスク端末は、
ＲＦ−ＩＤタグ用リーダーライターと、
前記診察券から患者ＩＤコード及び投薬情報を読み取る手段と、
病院指定調剤薬局名の一覧を表示する手段と、
患者が指定した病院指定調剤薬局名の指定情報を受け付ける手段と、
調剤薬局サーバーに、投薬情報を送信する手段と、
患者ＩＤコードを含む予約情報を、調剤薬局サーバーに、送信して予約完了情報を受信する手段と、
を備え、
前記調剤薬局サーバーは、
キオスク端末から、患者ＩＤコード及び投薬情報を受信する手段と、
キオスク端末から受信した患者ＩＤコード及び投薬情報を記憶する手段と、
キオスク端末から予約情報を受信して、予約完了情報を返信する手段と、
薬剤師用端末に患者ＩＤコードを送信する手段と、
調剤医薬品等収納棚の投薬情報問い合わせを受け付けて、当該患者の投薬情報を調剤医薬品等収納棚に送信する手段と、
を備え、
前記薬剤師用端末は、
ＲＦ−ＩＤタグリーダーライター内臓プリンターと、
調剤薬局サーバーから受信した患者ＩＤコードを医薬品袋のＲＦ−ＩＤタグに記録する手段と、
を備え、
前記調剤医薬品等収納棚は、
表示装置搭載ＲＦ−ＩＤタグと、
医薬品袋を調剤医薬品等収納棚の表示装置搭載ＲＦ−ＩＤタグにかざすことで読み取らせた患者ＩＤコードを用いて、当該患者の投薬情報を、調剤薬局サーバーに問い合わせる手段と、
該表示装置搭載ＲＦ−ＩＤタグの表示装置に調剤薬局サーバーから受信した当該患者の投薬情報を表示する手段と、
を備え、
前記調剤薬局窓口端末は、
リライト印字機能搭載ＲＦ−ＩＤタグ用リーダーライターと、
調剤を受け取りに来た患者の診察券に記録された患者ＩＤコードを含む精算指示情報を、調剤薬局サーバーに送信する手段と、
前記診察券のＲＦ−ＩＤタグ部に、精算済みである旨を記録する手段と、
を備えていることを特徴とする調剤医薬品等引き取りシステム。
【請求項２】
請求項１に記載の調剤医薬品等引き取りシステムであって、
前記診察券は、さらに、
リライト表示部
を備え、
前記キオスク端末は、さらに、
前記診察券のリライト表示部に印字するためのリライト印字機能と、
調剤薬局サーバーから受信した予約完了情報に基づいて、患者が選定した病院指定調剤薬局名を前記診察券のリライト表示部に印字する手段と、
を備えていることを特徴とする調剤医薬品等引き取りシステム。
【請求項３】
請求項１または２に記載の調剤医薬品等引き取りシステムであって、
前記キオスク端末は、さらに、
調剤薬局サーバーから受信した予約完了情報に基づいて、予約番号情報を診察券のＲＦ−ＩＤタグに記録する手段
を備えていることを特徴とする調剤医薬品等引き取りシステム。
【請求項４】
請求項１から３までのいずれか１項に記載の調剤医薬品等引き取りシステムであって、
前記調剤薬局サーバーは、さらに、
投薬情報データベースを格納して、
調剤医薬品等収納棚の投薬情報問い合わせを受け付けて、投薬情報データベースにより、当該患者の投薬情報に基づく指定調剤医薬品等名及び指定分量情報を作成して調剤医薬品等収納棚に送信する手段
を備え、
前記調剤医薬品等収納棚は、
調剤薬局サーバーから受信した指定調剤医薬品名及び投薬量を、表示装置搭載ＲＦ−ＩＤタグに表示させる手段、
を備えていることを特徴とする調剤医薬品等引き取りシステム。
【請求項５】
請求項１から４までのいずれか１項に記載の調剤医薬品等引き取りシステムであって、
前記薬剤師用端末は、さらに、
調剤作業を完了した医薬品袋を用いて、調剤作業完了情報を入力する手段、
を備えていることを特徴とする調剤医薬品等引き取りシステム。
【発明の詳細な説明】
【技術分野】
【０００１】
本発明は、患者が、病院よりの処方箋に基づく調剤医薬品等を病院指定調剤薬局より効率的に受け取ることを可能にするＲＦ−ＩＤタグを利用した調剤医薬品等受け取りシステムに関するものである。
【背景技術】
【０００２】
大病院や評判が良い個人病院等は、多くの患者が受診するため、診察待ち時間が長いの一般的である。さらに、大病院や評判の良い個人病院の近くの調剤薬局も混雑し、処方箋に基づく調剤医薬品等を受け取るまでの時間が長いのが一般的である。
そこで、患者は、自宅近くの病院指定調剤薬局に処方箋を提出し、調剤医薬品等を受け取ることを試みるが、特殊な薬や、投薬量が多くなると患者の自宅近くの病院指定調剤薬局では対応できない場合もある。
患者は、効率的に調剤医薬を入手するため、病院指定調剤薬局中で患者の処方箋に基づく調剤医薬品等を対応できる調剤薬局を把握することを潜在的に求めている。
これには、病院指定調剤薬局では、患者よりの問い合わせに関して、即座に返答するために調剤医薬品等の在庫状況を常に把握している必要がある。
病院指定調剤薬局の調剤医薬品等の在庫管理は、販売店における商品在庫管理システムと同種である。
近年、ＲＦ−ＩＤ（無線周波数識別：Ｒａｄｉｏ  Ｆｒｅｑｕｅｎｃｙ  Ｉｄｅｎｔｉｆｉｃａｔｉｏｎ）技術を利用したＲＦ−ＩＤタグシステムを用いた商品在庫管理システムが注目を浴びているが、先行する販売店でのＲＦ−ＩＤタグ利用商品管理システムでは、すでに数々の問題点が指摘されている。
このため、販売店でのＲＦ−ＩＤタグ利用商品管理システムの問題と合わせて、病院指定調剤薬局でＲＦ−ＩＤタグ利用調剤医薬品等の在庫管理システムの問題を以下に説明する。
【０００３】
ＲＦ−ＩＤタグシステムを用いた商品在庫管理システムでは、特許文献１に紹介する如く、商品陳列棚に並ぶ商品毎に個別にＲＦ−ＩＤタグを取り付け、商品陳列棚等に予め設置したＲＦ−ＩＤタグ用リーダーライターと常時通信することで、リアルタイムの商品在庫管理を実現している。
この方法では、当然のことながら、すべての商品、ＲＦ−ＩＤタグを取り付ける必要があるため、ＲＦ−ＩＤタグ自体の費用及び個別装着する費用等が発生する。
調剤薬局では、すべての調剤医薬品等にＲＦ−ＩＤタグを取り付ける必要があるため、ＲＦ−ＩＤタグシステムを用いた商品在庫管理システムと同じ問題が発生する。
【０００４】
また、特許文献１には、示されていないが、ＲＦ−ＩＤタグシステムでは、以下に示す事項が問題視されている。
ＲＦ−ＩＤタグは、当然のことながら非接触でＲＦ−ＩＤタグ用リーダーライターにより読み取り可能である。このため、例えば、第三者が若い女性の買い物の内容を把握しようと思えば、第三者はＲＦ−ＩＤタグ用リーダーライターをコート等の下に隠し、この若い女性に近づけば、買い物袋内にあるＲＦ−ＩＤタグ付き商品の把握が、この女性に気づかれずに可能となる。
調剤医薬品等では、さらに深刻である。即ち、患者に投薬される調剤医薬品等が患者に気づかれずに把握可能であれば、患者の病名や病気の進行具合が判断可能となるからである。
このため、プライバシー保護の観点上、精算処理後のＲＦ−ＩＤタグを取り外す、若しくはＲＦ−ＩＤタグに記録された情報を消去する手段を講じる必要性が指摘されている。
【０００５】
さらに、１つの商品陳列棚にあるすべての商品を一括把握するためには、ＲＦ−ＩＤタグ用リーダーライターが、ＲＦ−ＩＤタグの同時読み取り可能個数が限られているため、商品陳列棚に陳列する商品の総数を考慮して、商品陳列棚に設置するＲＦ−ＩＤタグ用リーダーライターの台数を決定する必要がある。
即ち、多数のＲＦ−ＩＤタグ用リーダーライターが商品陳列棚に設置されることになり、商品陳列棚のイニシャルコストがかさむと指摘されている。
【０００６】
さらに、このＲＦ−ＩＤタグ用リーダーライターの書き込み読み取り距離によっては、ＲＦ−ＩＤタグ用リーダーライター同士での相互干渉が生じる。このため、商品毎に貼付したＲＦ−ＩＤタグには、どの商品陳列棚のどの位置にある商品なのか等の商品陳列位置情報を、個別に登録する必要がある。この手間も煩雑であることが指摘されている。
【０００７】
このため、商品自体に個別にＲＦ−ＩＤタグを装着することによって実現されるＲＦ−ＩＤタグを利用した商品在庫管理システムでは、ＲＦ−ＩＤタグ自体の費用及びＲＦ−ＩＤタグを商品に貼付するための費用及びＲＦ−ＩＤタグに商品陳列位置情報を登録するランニングコストに加え、多数のＲＦ−ＩＤタグ用リーダーライターを商品陳列棚に設置するイニシャルコスト及び精算処理後のＲＦ−ＩＤタグを取り外す、若しくはＲＦ−ＩＤタグに記録された商品情報を消去する手段を講じるイニシャルコストがかさみ販売価格上昇要因若しくは収益圧迫要因となることが懸念されている。
病院指定の調剤薬局でも、調剤医薬品等が保管されている調剤医薬品等収納棚にあるすべての調剤医薬品等にＲＦ−ＩＤタグを装着して、対応した場合には前述の商品管理システムと同様な問題が発生する。
【０００８】
【特許文献１】特開２００５−３４３５８
【発明の開示】
【発明が解決しようとする課題】
【０００９】
そこで、本発明の解決しようとしする課題は、先行するＲＦ−ＩＤタグ利用商品在庫管理システムの欠点を克服すると共に病院指定調剤薬局での調剤医薬品等の最適な在庫管理システムを構築し、かつ、患者に効率的な調剤医薬品等の提供システムを構築することである。
【課題を解決するための手段】
【００１０】
本発明の第１の態様は、キオスク端末と、薬剤師用端末と、調剤薬局窓口端末と、調剤医薬品等収納棚と、をネットワークで接続する調剤薬局サーバーと、から構成され、
少なくとも患者ＩＤコード及び投薬情報を記憶するＲＦ−ＩＤタグを備える診察券と、少なくとも患者ＩＤコードを記憶可能なＲＦ−ＩＤタグを備える医薬品袋と、を用いる調剤医薬品等引き取りシステムであって、
前記キオスク端末は、
ＲＦ−ＩＤタグ用リーダーライターと、
前記診察券から患者ＩＤコード及び投薬情報を読み取る手段と、
病院指定調剤薬局名の一覧を表示する手段と、
患者が指定した病院指定調剤薬局名の指定情報を受け付ける手段と、
調剤薬局サーバーに、投薬情報を送信する手段と、
患者ＩＤコードを含む予約情報を、調剤薬局サーバーに、送信して予約完了情報を受信する手段と、
を備え、
前記調剤薬局サーバーは、
キオスク端末から、患者ＩＤコード及び投薬情報を受信する手段と、
キオスク端末から受信した患者ＩＤコード及び投薬情報を記憶する手段と、
キオスク端末から予約情報を受信して、予約完了情報を返信する手段と、
薬剤師用端末に患者ＩＤコードを送信する手段と、
調剤医薬品等収納棚の投薬情報問い合わせを受け付けて、当該患者の投薬情報を調剤医薬品等収納棚に送信する手段と、
を備え、
前記薬剤師用端末は、
ＲＦ−ＩＤタグリーダーライター内臓プリンターと、
調剤薬局サーバーから受信した患者ＩＤコードを医薬品袋のＲＦ−ＩＤタグに記録する手段と、
を備え、
前記調剤医薬品等収納棚は、
表示装置搭載ＲＦ−ＩＤタグと、
医薬品袋を調剤医薬品等収納棚の表示装置搭載ＲＦ−ＩＤタグにかざすことで読み取らせた患者ＩＤコードを用いて、当該患者の投薬情報を、調剤薬局サーバーに問い合わせる手段と、
該表示装置搭載ＲＦ−ＩＤタグの表示装置に調剤薬局サーバーから受信した当該患者の投薬情報を表示する手段と、
を備え、
前記調剤薬局窓口端末は、
リライト印字機能搭載ＲＦ−ＩＤタグ用リーダーライターと、
調剤を受け取りに来た患者の診察券に記録された患者ＩＤコードを含む精算指示情報を、調剤薬局サーバーに送信する手段と、
前記診察券のＲＦ−ＩＤタグ部に、精算済みである旨を記録する手段と、
を備えていることを特徴とする調剤医薬品等受け取りシステムである。
【００１１】
本発明の第２の態様は、第１の態様に記載の調剤医薬品等引き取りシステムであって、
前記診察券は、さらに、
リライト表示部を備え、
前記キオスク端末は、さらに、
前記診察券のリライト表示部に印字するためのリライト印字機能と、
調剤薬局サーバーから受信した予約完了情報に基づいて、患者が選定した病院指定調剤薬局名を前記診察券のリライト表示部に印字する手段と、
を備えていることを特徴とする調剤医薬品等受け取りシステムである。
【００１２】
本発明の第３の態様は、第１または２の態様に記載の調剤医薬品等引き取りシステムであって、
前記キオスク端末は、さらに、
調剤薬局サーバーから受信した予約完了情報に基づいて、予約番号情報を診察券のＲＦ−ＩＤタグに記録する手段
を備えていることを特徴とする調剤医薬品等受け取りシステムである。
【００１３】
本発明の第４の態様は、第１から第３までのいずれか１つの態様に記載の調剤医薬品等引き取りシステムであって、
前記調剤薬局サーバーは、さらに、
投薬情報データベースを格納して、
調剤医薬品等収納棚の投薬情報問い合わせを受け付けて、投薬情報データベースにより、当該患者の投薬情報に基づく指定調剤医薬品等名及び指定分量情報を作成して調剤医薬品等収納棚に送信する手段を備え、
前記調剤医薬品等収納棚は、
調剤薬局サーバーから受信した指定調剤医薬品名及び投薬量を、表示装置搭載ＲＦ−ＩＤタグに表示させる手段
を備えていることを特徴とする調剤医薬品等受け取りシステムである。
【００１４】
本発明の第５の態様は、第１から第４までのいずれか１つの態様に記載の調剤医薬品等引き取りシステムであって、
前記薬剤師用端末は、さらに、
調剤作業を完了した医薬品袋を用いて、調剤作業完了情報を入力する手段、
を備えていることを特徴とする調剤医薬品等受け取りシステム。
【発明を実施するための最良の形態】
【００１５】
以下に本発明の実施形態について説明する。
図１は、本発明の感熱リライト表示付きＲＦ−ＩＤタグ搭載診察券の外観図である。
図２は、本発明の病院システム等の基本構成図である。
図３は、本発明の病院指定調剤薬局システムの基本構成図である。
図４は、本発明の照度センサー搭載ＲＦ−ＩＤタグの基本構成図である。
図５は、本発明の表示装置搭載ＲＦ−ＩＤタグの基本構成図である。
【００１６】
図１に外観を示すリライト表示付きＲＦ−ＩＤタグ搭載診察券１は、ＲＦ−ＩＤタグを内蔵したカードの片面に感熱リライト表示体２を形成したものである。
リライト表示付きＲＦ−ＩＤタグ搭載診察券１は、ポリエステルフィルムの片面にシルク印刷にて導電性シルクインキによりアンテナコイル及びＲＦ−ＩＤタグ用ＩＣチップの接続パットを形成後にＥＥＰＲＯＭ等の不揮発性メモリー部を有するＲＦ−ＩＤタグ用ＩＣチップのアンテナ接続パットに半田バンプ等を形成後に異方性導電シート等を介してＲＦ−ＩＤチップを実装したインレットシートの両側に熱接着シート等を全面に貼付後さらに乳箔非晶性熱可塑性フィルムを両側に配置後に熱プレスを施し、所定のサイズに仕上げ抜きして製造されるものである。
なお、いずれか一方の乳箔非晶性熱可塑性フィルムの表面には予め感熱リライト表示体２を所定のサイズに事前に形成したものを使用する。
【００１７】
リライト印字機能搭載ＲＦ−ＩＤタグ用リーダーライター３は、リライト表示付きＲＦ−ＩＤタグ搭載診察券１の搬送機構ユニットと感熱リライト表示２への印字及び消去機能を有する感熱リライト印字及び消去機構ユニットと、搬送機構ユニットにＲＦ−ＩＤタグ用リーダーライターを搭載したＲＦ−ＩＤタグ用リーダーライターユニットと、それぞれのユニットの制御及び外部インターフェースを有する制御ユニットと、それぞれのユニットに電源を供給する電源ユニットとを外装ケースにより一体化したものである。
【００１８】
図２に示す病院システム等４は、リライト印字機能搭載ＲＦ−ＩＤタグ用リーダーライター３を接続したパーソナルコンピュータよりなる受付端末５と、リライト印字機能搭載ＲＦ−ＩＤタグ用リーダーライター３を接続したパーソナルコンピュータよりなる医師用端末６と、リライト印字機能搭載ＲＦ−ＩＤタグ用リーダーライター３を接続したパーソナルコンピュータよりなる支払い処理端末とがそれぞれ病院内ＬＡＮ８より、患者ＩＤ及び投薬情報データベース９等を有する病院サーバー１０に接続されて形成されているものである。なお、病院サーバー１０は、インターネット１１に接続されている。
さらに図２には、病院のロビー等に設置されるキオスク端末１２を図示している。キオスク端末１２は、インターネット１１に接続されたパーソナルコンピュータにタッチパネル機能搭載液晶表示装置による画面表示１３及びリライト印字機能搭載ＲＦ−ＩＤタグ用リーダーライター３を接続した基本構成を有し、これらの機器を外装ケースにより一体化したものである。
【００１９】
図３に示す調剤薬局システム１４は、リライト印字機能搭載ＲＦ−ＩＤタグ用リーダーライター３を接続したパーソナルコンピュータよりなる調剤薬局窓口端末１５と、ＲＦ−ＩＤタグリーダー１６及びＲＦ−ＩＤタグ用リーダーライター搭載プリンター１７を有線接続し、調剤医薬品等収納棚１８に配置された照度センサー搭載ＲＦ−ＩＤタグ１９及び表示装置搭載ＲＦ−ＩＤタグ２０と交信するために調剤室の天井に設置されたＲＦ−ＩＤタグ用リーダーライター２１とを無線接続したパーソナルコンピュータよりなる薬剤師用端末２２とがそれぞれ調剤薬局内ＬＡＮ２３により、患者ＩＤ及び投薬情報データベース２４、調剤医薬品等在庫データベース２５等を有する調剤薬局サーバー２６に接続されて形成されているものである。なお、調剤薬局サーバー２６は、インターネット１１に接続されている。
【００２０】
ＲＦ−ＩＤタグ用リーダーライター搭載プリンター１７は、印字機構ユニットとＲＦ−ＩＤタグ用リーダーライターユニットと、それぞれのユニットを制御すると共に外部接続機能も有する制御ユニットと、全てのユニットに電源を供給する電源ユニットを搭載して、一体化したたものである。
印字機構ユニットによりＲＦ−ＩＤタグ付き医薬品袋に患者名、調剤日時等を印字すると共にＲＦ−ＩＤタグ用リーダーライターユニットによりＲＦ−ＩＤタグ付き医薬品袋２７のＲＦ−ＩＤタグの不揮発メモリー部に患者ＩＤコードを登録する機能を有するものである。なお、ＲＦ−ＩＤタグ付き医薬品袋２７は、ＲＦ−ＩＤタグ用リーダーライター搭載プリンターに適合する医薬品袋であり、調剤薬局名等が表出して印刷されている上質紙を製帯して形成し、ＲＦ−ＩＤタグラベルが印字位置に影響を与えない部分に貼付されて形成されているものである。
【００２１】
図３に示す調剤医薬品等収納棚１８には、照度センサー搭載ＲＦ−ＩＤタグ１９を調剤医薬品等陳列部の最後方に調剤医薬品等２８毎に配置することにより、照度センサー搭載ＲＦ−ＩＤタグ１９よりの情報に基づき、調剤医薬品等２８の在庫の自動把握が可能となるものである。
なお、照度センサー搭載ＲＦ−ＩＤタグ１９の電源供給は、通常は、電池部２０ｇによるため、照度センサー搭載ＲＦ−ＩＤタグ１９へのＡＣ電源を供給する配線は不要である。
調剤医薬品等収納棚ラック部２９の材質は、照度センサー搭載ＲＦ−ＩＤタグ２０と調剤室の天井に設置したＲＦ−ＩＤタグ用リーダーライター２１との交信を阻害しない材料を採用する。具体的には、プラスチック材料が好適である。
これは、照度センサー搭載ＲＦ−ＩＤタグ１９とＲＦ−ＩＤタグ用リーダーライター２１との間に電磁波を遮蔽するような全面金属材料があると非接触での交信が不可能になるためである。
さらに、調剤医薬品等収納棚ラック部２９の前面には、調剤医薬品等毎に表示装置搭載ＲＦ−ＩＤタグ２０を設置する。
【００２２】
図４に構成を示す照度センサー搭載ＲＦ−ＩＤタグ１９は、アンテナ部１９ａとＲＦインターフェース部１９ｂよりなるＲＦ部１９ｃと、照度センサー部１９ｄと、照度センサー感度調節部１９ｅと、不揮発性メモリー部１９ｆと、電池部１９ｇとがそれぞれタグ制御部１９ｈに接続されているものである。
さらに、図示はしないが、照度センサー部１９ｄの前面には、照度センサー部１９ｄへの外乱光の入光を抑止するフードの取り付けを可能とする機構を有する。
また、照度センサー感度調節部１９ｅの機能は、照度センサー部１９ｄの感度を低く調節することも可能にするためのものである。
例えば、透明包装材料で包装された調剤医薬品等では、照度センサー部１９ｄに外部光が入光し、透明包装材料で包装された調剤医薬品等があるのにもかかわらず、照度センサー搭載ＲＦ−ＩＤタグ１９は調剤医薬品等がないとの誤判別を防止するためである。
【００２３】
図５に構成を示す表示装置搭載ＲＦ−ＩＤタグ２０は、アンテナ部２０ａとＲＦインターフェース部２０ｂよりなるＲＦ部２０ｃと、表示装置ドライバー回路２０ｄと、液晶表示装置２０ｅと、不揮発性メモリー部２０ｆと、電池部２０ｇとがそれぞれ制御部２０ｈに接続されているものである。
なお、表示装置搭載ＲＦ−ＩＤタグの不揮発性メモリー部には、表示装置搭載ＲＦ−ＩＤタグ自体のＩＤ番号を事前に記録している。
【００２４】
なお、調剤薬局サーバー２６には、調剤室で取り扱うすべての調剤医薬品等２８に関して、いずれかの調剤医薬品等収納棚で何段目のラック部に配置し、何番のＩＤ番号を有する表示装置搭載ＲＦ−ＩＤタグ２０を設置したかを記録する調剤医薬品等陳列位置情報データベース３０を内蔵する。
【００２５】
本発明の利用形態について、以下に説明する。
［病院初診時の受付］
病院受付の医療事務職員は、受付端末５に患者名及び患者ＩＤコード等を入力し、受付端末５に接続されたリライト印字機能搭載ＲＦ−ＩＤタグ用リーダーライター３にリライト表示付きＲＦ−ＩＤタグ搭載診察券１を挿入する。
リライト印字機能搭載ＲＦ−ＩＤタグリーダーライター３は、受付端末５よりの患者氏名及び患者ＩＤコート等の発行指示情報に基づきリライト表示付きＲＦ−ＩＤタグ搭載診察券１のリライト表示部２に患者氏名等をリライト印字すると共にＲＦ−ＩＤタグ部の不揮発性メモリーに患者ＩＤコード等を記録後、リライト表示付きＲＦ−ＩＤタグ搭載診察券１を排出する。
なお、受付端末５は、患者名及び患者ＩＤコード等を病院サーバー１０に送信する。病院サーバー１０は、患者名及び患者ＩＤコード等を患者ＩＤ及び投薬情報データベース９に記録する。
病院受付の医療事務員は、患者にリライト表示付きＲＦ−ＩＤタグ搭載診察券１を支給する。
【００２６】
［診察］
患者は、自身のリライト表示付きＲＦ−ＩＤタグ搭載診察券１を医師に提出する。
医師は、リライト表示付きＲＦ−ＩＤタグ搭載診察券１を医師用端末６に接続されたリライト表示印字機能搭載ＲＦ−ＩＤタグリーダーライター３に挿入する。医師は、診察後に医師用端末６を操作して、投薬情報等を入力する。
医師用端末６に接続されたリライト印字機能搭載ＲＦ−ＩＤタグリーダーライター３は、医師用端末６よりの投薬情報に基づきリライト表示付きＲＦ−ＩＤタグ搭載診察券１のリライト表示部２に投薬情報の医薬品名等をリライト印字すると共にＲＦ−ＩＤタグ部の不揮発性メモリーに投薬情報を記録後、リライト表示付きＲＦ−ＩＤタグ搭載診察券１を排出する。
なお、医師用端末６は、患者ＩＤコードと共に投薬情報を病院サーバー１０に送信する。病院サーバー１０は、患者ＩＤ及び投薬情報データべース９に記録する。
【００２７】
［診察料支払い］
患者は、病院の支払い窓口にリライト表示付きＲＦ−ＩＤタグ搭載診察券１を提出する。
病院支払い窓口担当医療事務職員は、支払い処理端末７に接続されたリライト印字機能搭載ＲＦ−ＩＤタグリーダーライター３にリライト表示付きＲＦ−ＩＤタグ搭載診察券１を挿入する。
さらに、病院の支払い窓口担当医療事務職員は、患者より、診察料を受領後、支払い処理端末７で、消し込み処理を実施する。
支払い処理端末７に接続されたリライト印字機能搭載ＲＦ−ＩＤタグリーダーライター３は、支払い処理端末７よりの消し込み情報に基づき、リライト表示付きＲＦ−ＩＤタグ搭載診察券１のリライト表示部２に精算済みである旨をリライト印字すると共にＲＦ−ＩＤタグ部の不揮発性メモリーに精算完了情報を記録後、リライト表示付きＲＦ−ＩＤタグ搭載診察券１を排出する。
なお、支払い処理端末７は、患者ＩＤコードと共に精算完了情報を病院サーバー１０に送信する。
【００２８】
［患者の病院指定調剤薬局への調剤予約］
患者は、例えば、病院のロビーに設置しているキオスク端末１２に、リライト表示付きＲＦ−ＩＤタグ搭載診察券１を挿入する。
キオスク端末１２は、内臓するリライト印字機能搭載ＲＦ−ＩＤタグリーダーライター３で挿入されたリライト表示付きＲＦ−ＩＤタグ搭載診察券１のＲＦ−ＩＤタグ部の不揮発性メモリーに記録されている精算完了情報を確認後に患者ＩＤコード及び投薬情報を読み取ると共に、画面１３に病院指定調剤薬局名の一覧を表示する。
患者は、例えば、画面１３に表示された自宅近くの病院指定調剤薬局を指定する。
キオスク端末１２は、内臓するリライト印字機能搭載ＲＦ−ＩＤタグリーダーライター３より送られたリライト表示付きＲＦ−ＩＤタグ搭載診察券１のＲＦ−ＩＤタグ部の不揮発性メモリーに記録されている投薬情報を患者が選定した調剤薬局サーバー２６送信する。
患者が選定した病院指定調剤薬局の調剤薬局サーバー２６では、調剤医薬品等在庫データベース２５と照会し、調剤が可能である場合には、キオスク端末１２に調剤可能情報を返信する。
キオスク端末１２は、患者が指定した病院指定調剤薬局で対応可能な旨を画面１３に表示する。患者は、調剤を依頼する旨の操作を画面１３で実施する。
キオスク端末１２は、患者が選定した病院指定調剤薬局の調剤薬局サーバー２６に予約情報を送信する。調剤薬局サーバー２６は、予約情報を受信後に患者ＩＤコード及び投薬情報及び精算完了情報等を病院サーバー１０に照会し、一致する場合のみ、キオスク端末１２に予約完了情報を送信する。
キオスク端末１２は、予約完了情報を内臓するリライト印字機能搭載ＲＦ−ＩＤタグリーダーライター３に送り、挿入されているリライト表示付きＲＦ−ＩＤタグ搭載診察券１のリライト表示部２に患者が選定した調剤薬局名と予約番号等を印字する共にＲＦ−ＩＤタグ部の不揮発性メモリーに予約番号情報を記録後、リライト表示付きＲＦ−ＩＤタグ搭載診察券１を排出する。
【００２９】
［調剤］
調剤薬局サーバー２６は、薬剤師用端末２２に患者ＩＤコード等及び投薬情報を送信する。
薬剤師用端末２２は、薬剤師用端末２２に接続されたＲＦ−ＩＤタグ用リーダーライター内蔵プリンター１７に患者名と共に投薬情報を送信する。
ＲＦ−ＩＤタグ用リーダーライター内蔵プリンター１７は、ＲＦ−ＩＤタグ付き医薬品袋２７に患者名、処方及び調剤年月日等を印字すると共にＲＦ−ＩＤタグ付き医薬品袋２７のＲＦ−ＩＤタグ部の不揮発性メモリーに患者ＩＤコードを記録する。
薬剤師は、ＲＦ−ＩＤタグ付き医薬品袋２７を持参して、表示装置搭載ＲＦ−ＩＤタグ２０が保管している調剤医薬品等２８毎に設置されている調剤医薬品等収納棚１８に向かい、投薬情報に基づく調剤等を開始する。
なお、薬剤師は、調剤医薬品等収納棚１８のいずれかの表示装置搭載ＲＦ−ＩＤタグ２０にＲＦ−ＩＤタグ付き医薬品袋２７をかざせば、ＲＦ−ＩＤタグ付き医薬品袋２７のＲＦ−ＩＤタグ部の不揮発性メモリーに記録されている患者コードを読み取り、調剤室の天井等に設置されたＲＦ−ＩＤタグ用リーダーライター２１に送信し、ＲＦ−ＩＤタグ用リーダーライター２１は無線接続されている薬剤師用端末２２を経由して調剤薬局内ＬＡＮ２１を介して調剤薬局サーバー２６に送信する。
患者ＩＤコードを受信した調剤薬局サーバー２６は、患者ＩＤ及び投薬情報データベース２４より当該患者の投薬情報に基づく指定調剤医薬品等名及び指定分量情報を調剤医薬品等陳列位置情報データベースの調剤医薬品等陳列位置情報とともに薬剤師用端末２２に送信し、薬剤師用端末２２はＲＦ−ＩＤタグ用リーダーライター２１に送信し、ＲＦ−ＩＤタグ用リーダーライター２１は当該表示装置搭載ＲＦ−ＩＤタグ２０に送信する。
当該表示装置搭載ＲＦ−ＩＤタグ２０は、指定調剤医薬品等及び指定分量を表示することが可能になり、薬剤の調剤医薬品等ピッキング作業の補助する。
薬剤師は、調剤作業完了後に調剤医薬品等が入っているＲＦ−ＩＤタグ付き医薬品袋２７を薬剤師用端末２２に接続されたＲＦ−ＩＤタグ用リーダー１６にかざして、調剤作業が完了したことを自動入力する。
【００３０】
［患者の調剤医薬品等の引き取り］
患者は、自分が選定した病院指定調剤薬局を訪問し、調剤薬局職員にリライト表示付きＲＦ−ＩＤタグ搭載診察券１を提出する。
調剤薬局職員は、リライト表示付きＲＦ−ＩＤタグ搭載診察券１を調剤薬局窓口端末１５に接続されたリライト表示対応ＲＦ−ＩＤタグリーダーライター３に挿入する。
調剤薬局職員は、調剤薬局窓口端末の画面に表示された調剤完了等の表示を確認し、投薬料を受領後、調剤薬局窓口端末１５で、消し込み処理を実施する。
調剤薬局窓口端末１５に接続されたリライト印字機能搭載ＲＦ−ＩＤタグリーダーライターは、調剤薬局窓口端末よりの消し込み情報に基づき、リライト表示付きＲＦ−ＩＤタグ搭載診察券１のリライト表示部に投薬料精算済みである旨をリライト印字すると共にＲＦ−ＩＤタグ部の不揮発性メモリーに投薬料精算完了情報を記録後、リライト表示付きＲＦ−ＩＤタグ搭載診察券１を排出する。
なお、調剤薬局窓口端末１５は、患者ＩＤコードと共に精算完了情報を調剤薬局サーバー２６に送信する。
調剤薬局職員は、患者にリライト表示付きＲＦ−ＩＤタグ搭載診察券１を返却すると共に患者の調剤医薬品等が挿入されているＲＦ−ＩＤタグ付き医薬品袋２７を提出する。
【００３１】
［再診］
患者は、リライト表示付きＲＦ−ＩＤタグ搭載診察券１が発行されているため、病院受付窓口にリライト表示付きＲＦ−ＩＤタグ搭載診察券１を提出して、受診する。
【００３２】
本発明の調剤医薬品等受け取りシステムは、以上、説明した実施例に拘泥されることなく、異なる実施形態でも可能である。
具体的には、患者の病院指定調剤薬局等の選定は、キオスク端末１２で説明したが、ＲＦ−ＩＤタグ用リーダーライター搭載携帯電話をキオスク端末に置き換えて実現しても良い。
感熱リライト表示付きＲＦ−ＩＤタグ搭載診察券で説明したが、感熱リライト表示体以外にもロイコリライト表示体や磁気カプセル表示体であっても良い。なお、当然のことながら、リライト印字機能搭載ＲＦ−ＩＤタグ用リーダーライターのリライト印字／消去機構部はそれぞれのリライト表示体に対応するのものでなければならない。
照度センサー搭載ＲＦ−ＩＤタグ１９で説明したが、反射タイプの光学センサー搭載したＲＦ−ＩＤタグであっても良い。
なお、反射タイプの光学センサー搭載ＲＦ−ＩＤタグは、調剤医薬品等２８がある場合には調剤医薬品等２８からの反射光があるため、調剤医薬品等２８があると判別し、反射光がない場合には、調剤医薬品等よりの反射光がないため、調剤医薬品等２８がないと判別するものである。
また、照度センサー搭載ＲＦ−ＩＤタグは、電池を搭載するアクティブ型で説明したが、電地非搭載のパッシブ型であっても良い。
また、調剤室の天井に設置されたＲＦ−ＩＤタグ用リーダーライター２１と薬剤師用端末２２とは、無線接続で説明したが、当然のことながら、有線接続であっても良い。
さらに、表示装置搭載ＲＦ−ＩＤタグ２０の表示装置は、液晶表示装置２０ｆで説明したが、電子ペーハーによる表示装置や有機ＥＬ（Ｏｒｇａｎｉｃ  Ｅｌｅｃｔｒｏｌｕｍｉｎｅｓｃｅｎｃｅ  Ｄｉｓｐｌａｙ）による表示装置等であっても良い。
【産業上の利用可能性】
【００３３】
現在は、個人の価値観が多様化しているため、消費者は化粧品や嗜好品など個人に適合した専用品をもとめている。
さらに、消費者が欲するときに消費者を待たせることなく、消費者個人に適合した商品を用意し、場合によっては宅配までも欲している。
しかしながら、販売店では、常に嗜好品の在庫状況把握し、消費者よりの問い合わせに在庫状況を瞬時に応答し、消費者よりの注文に応じて、消費者に適合した嗜好品を注文分量に応じてブレンドして、個別に用意する販売形態は、実現されていないのが現状である。
しかしながら、本願発明では、正に消費者の個別需要にこたえる調剤医薬品等を対象としているため、今まで実現されていなかった消費者の個人に適合した嗜好品の個別需要に対応する販売形態を確立するのであるため、流通分野での様々な用途にも適用できるものである。
【図面の簡単な説明】
【００３４】
【図１】本発明の感熱リライト表示付きＲＦ−ＩＤタグ搭載診察券の外見図
【図２】本発明の病院システム等の基本構成図
【図３】本発明の病院指定調剤薬局システムの基本構成図
【図４】本発明の照度センサー搭載ＲＦ−ＩＤタグの基本構成図
【図５】本発明の表示装置搭載ＲＦ−ＩＤタグの基本構成図
【符号の説明】
【００３５】
１  ：感熱リライト表示付きＲＦ−ＩＤタグ搭載診察券
２  ：感熱リライト表示
３  ：リライト印字機能搭載ＲＦ−ＩＤタグ用リーダーライター
４  ：病院システム等
５  ：受付端末
６  ：医師用端末
７  ：支払い処理端末
８  ：病院ＬＡＮ
９  ：病院サーバー内患者ＩＤ及び投薬情報データベース
１０  ：病院サーバー
１１  ：インターネット
１２  ：キオスク端末
１３  ：画面表示
１４  ：調剤薬局システム
１５  ：調剤薬局窓口端末
１６  ：ＲＦ−ＩＤタグリーダー
１７  ：ＲＦ−ＩＤタグリーダーライター搭載プリンター
１８  ：調剤医薬品等収納棚
１９  ：照度センサー搭載ＲＦ−ＩＤタグ
１９ａ：アンテナ部
１９ｂ：ＲＦインターフェース部
１９ｃ：ＲＦ部
１９ｄ：照度センサー部
１９ｅ：照度センサー感度調節部
１９ｆ：不揮発メモリー部
１９ｇ：電池部
１９ｈ：タグ制御部
２０  ：表示装置搭載ＲＦ−ＩＤタグ
２０ａ：表示装置搭載ＲＦ−ＩＤタグのアンテナ部
２０ｂ：表示装置搭載ＲＦ−ＩＤタグのＲＦインターフェース部
２０ｃ：表示装置搭載ＲＦ−ＩＤタグのＲＦ部
２０ｄ：表示装置搭載ＲＦ−ＩＤタグの表示装置ドライバー回路
２０ｅ：表示装置搭載ＲＦ−ＩＤタグの表示装置
２０ｆ：表示装置搭載ＲＦ−ＩＤタグの不揮発メモリー部
２０ｇ：表示装置搭載ＲＦ−ＩＤタグの電池部
２０ｈ：表示装置搭載ＲＦ−ＩＤタグのタグ制御部
２１  ：ＲＦ−ＩＤタグリーダーライター
２２  ：薬剤師用端末
２３  ：調剤薬局ＬＡＮ
２４  ：調剤薬局サーバー内患者ＩＤ及び投薬情報データベース
２５  ：調剤医薬品等在庫データベース
２６  ：調剤薬局サーバー
２７  ：ＲＦ−ＩＤタグ付き医薬品袋
２８  ：調剤医薬品等
２９  ：調剤医薬品等収納棚のラック部
３０  ：調剤医薬品等陳列位置情報データベース
【図１】
0004648142.tif 000002
【図２】
0004648142.tif 000003
【図３】
0004648142.tif 000004
【図４】
0004648142.tif 000005
【図５】
0004648142.tif 000006